(57)【要約】  【課題】  レンズホルダの高次共振を抑えて安定したサーボを行うことができる光ヘッド装置を提供する。  【解決手段】  光ヘッド装置は、トラッキング方向およびフォーカシング方向に移動可能に支持されてトラッキング方向に長尺状に形成されたレンズホルダ８０を有し、レンズホルダ８０は、対物レンズに対してフォーカシング方向に設けられて立ち上げミラーが挿入される立ち上げミラー用空間８０ａと、トラキング方向およびフォーカシング方向の双方に直交する方向に立ち上げミラー用空間８０ａに連通してコリメートレンズを通った光の光路を確保するための光路用穴８０ｂとが形成され、立ち上げミラー用空間８０ａに対して光路用穴８０ｂとは反対側に壁部８０ｃを有し、壁部８０ｃは、トラッキング方向に延在するリブ８０ｄ、８０ｅ、８０ｆが形成されていることを特徴とする。【選択図】  図９
2009099213.tif 000002
【特許請求の範囲】
【請求項１】
トラッキング方向およびフォーカシング方向に移動可能に支持されて前記トラッキング方向に長尺状に形成されたレンズホルダと、前記レンズホルダに保持された対物レンズと、光源からの光を通すコリメートレンズと、前記コリメートレンズを通った光を前記対物レンズに立ち上げる立ち上げミラーとを有する光ヘッド装置であって、
前記レンズホルダは、前記対物レンズに対して前記フォーカシング方向に設けられて前記立ち上げミラーが挿入される立ち上げミラー用空間と、前記トラキング方向および前記フォーカシング方向の双方に直交する方向に前記立ち上げミラー用空間に連通して前記コリメートレンズを通った光の光路を確保するための光路用穴とが形成され、前記立ち上げミラー用空間に対して前記光路用穴とは反対側に壁部を有し、
前記壁部は、前記トラッキング方向に延在するリブが形成されていることを特徴とする光ヘッド装置。
【請求項２】
前記リブは、長さ、幅および高さの少なくとも１つが互いに異なる複数本のリブを含むことを特徴とする請求項１に記載の光ヘッド装置。
【請求項３】
前記リブは、長さの異なる２本のリブを含み、前記２本のリブのうち短い方が前記対物レンズに近いことを特徴とする請求項２に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、薄型の光ヘッド装置が知られている（例えば、特許文献１参照。）。従来の光ヘッド装置は、トラッキング方向およびフォーカシング方向に移動可能に支持されてトラッキング方向に長尺状に形成されたレンズホルダと、レンズホルダに保持された対物レンズとを有している。
【特許文献１】特開２００７−１８８５６４号公報
【発明の開示】
【発明が解決しようとする課題】
【０００３】
しかしながら、従来の光ヘッド装置においては、発振モードに陥りサーボ異常によってサーボが破綻するという問題があった。
【０００４】
そこで、本発明者は、このサーボ異常について研究し、このサーボ異常が１５ＫＨｚのところで発生しており、トラッキング方向に長尺状に形成されたレンズホルダがフォーカシング方向に撓む高次共振が発生していることを突き止めた。すなわち、対物レンズの位置がレンズホルダの駆動コイルの位置に対して遅れることによって、サーボ異常が発生していることを突き止めた。
【０００５】
本発明は、従来の問題を解決するためになされたもので、レンズホルダの高次共振を抑えて安定したサーボを行うことができる光ヘッド装置を提供することを目的とする。
【課題を解決するための手段】
【０００６】
本発明の光ヘッド装置は、トラッキング方向およびフォーカシング方向に移動可能に支持されて前記トラッキング方向に長尺状に形成されたレンズホルダと、前記レンズホルダに保持された対物レンズと、光源からの光を通すコリメートレンズと、前記コリメートレンズを通った光を前記対物レンズに立ち上げる立ち上げミラーとを有する光ヘッド装置であって、前記レンズホルダは、前記対物レンズに対して前記フォーカシング方向に設けられて前記立ち上げミラーが挿入される立ち上げミラー用空間と、前記トラキング方向および前記フォーカシング方向の双方に直交する方向に前記立ち上げミラー用空間に連通して前記コリメートレンズを通った光の光路を確保するための光路用穴とが形成され、前記立ち上げミラー用空間に対して前記光路用穴とは反対側に壁部を有し、前記壁部は、前記トラッキング方向に延在するリブが形成されていることを特徴とする。
【０００７】
この構成により、本発明の光ヘッド装置は、トラッキング方向に延在するリブによってレンズホルダがフォーカシング方向に撓むことが抑えられるので、レンズホルダの高次共振を抑えて安定したサーボを行うことができる。
【０００８】
また、本発明の光ヘッド装置の前記リブは、長さ、幅および高さの少なくとも１つが互いに異なる複数本のリブを含むことを特徴とすることが好ましい。
【０００９】
また、本発明の光ヘッド装置の前記リブは、長さの異なる２本のリブを含み、前記２本のリブのうち短い方が前記対物レンズに近いことを特徴とすることが好ましい。
【発明の効果】
【００１０】
本発明によれば、レンズホルダの高次共振を抑えて安定したサーボを行うことができる光ヘッド装置を提供することができる。
【発明を実施するための最良の形態】
【００１１】
以下、本発明の一実施の形態について、図面を用いて説明する。
【００１２】
まず、本実施の形態に係る光ヘッド装置の構成について説明する。
【００１３】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００１４】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００１５】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００１６】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００１７】
金属カバー１２は、装置フレーム１１の突起１１ｃに嵌まる穴部１２ａと、装置フレーム１１の爪１１ｄに係合する溝部１２ｂとを備えている。
【００１８】
金属カバー１３は、対物レンズ３１から出射されるレーザ光を通過させる穴部１３ａを有しており、対物レンズ駆動機構４０を覆っている。
【００１９】
レーザ光源装置２１、レーザ光源装置２２およびモニタ用受光素子２３は、装置フレーム１１に搭載されており、金属カバー１２によって覆われている。
【００２０】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２１】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２２】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２３】
図４は、対物レンズ駆動機構４０の斜視図である。図５（ａ）、（ｂ）は、それぞれ対物レンズ駆動機構４０の平面図、右側面図である。図６（ａ）〜（ｃ）は、それぞれ対物レンズ駆動機構４０の正面図、背面図、底面図である。図４および図６（ａ）においては、後述するゲル状緩衝材の図示を省略している。
【００２４】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成するトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００２５】
図７（ａ）は、ヨーク６０、ホルダ支持部材１１０および基板１２０の平面図である。図７（ｂ）は、ヨーク６０、ホルダ支持部材１１０および基板１２０の右側面図である。図８（ａ）、（ｂ）は、それぞれ図７（ａ）のＡ−Ａ矢視断面図、Ｂ−Ｂ矢視断面図である。図８（ｂ）においては、後述するゲル状緩衝材の図示を省略している。
【００２６】
図７および図８に示すように、ヨーク６０は、駆動マグネット７１が固定される壁部６１と、壁部６１と平行に配置されて駆動マグネット７２が固定される壁部６２と、壁部６１および壁部６２を連結して装置フレーム１１（図２参照。）に設置される設置部６３と、設置部６３から立ち上げられてフォーカシング駆動コイル９３（図５（ａ）参照。）に挿入される挿入部６４と、壁部６２に対して壁部６１とは反対側で壁部６２と平行に配置された壁部６５と、壁部６２および壁部６５を連結して壁部６２に対して壁部６５を支持する支持部６６とを有している。壁部６１は、駆動マグネット７１の矢印Ｔｒ（図５（ａ）参照。）で示すトラッキング方向の位置決めに使用される円柱状の突起６１ａ、６１ｂと、駆動マグネット７１の矢印Ｆｏ（図５（ｂ）参照。）で示すフォーカシング方向の位置決めに使用される円柱状の突起６１ｃとを有している。壁部６２は、駆動マグネット７２の矢印Ｔｒで示すトラッキング方向の位置決めに使用される円柱状の突起６２ａ、６２ｂと、駆動マグネット７２の矢印Ｆｏで示すフォーカシング方向の位置決めに使用される円柱状の突起６２ｃとを有している。壁部６５は、ネジ１３０が螺合されるネジ穴６５ａと、ネジ穴６５ａの両側に開けられてホルダ支持部材１１０の位置決めに使用される穴６５ｂ（図４参照。）とを有している。
【００２７】
駆動マグネット７１、７２は、ヨーク６０の挿入部６４側がＮ極になっている。すなわち、駆動マグネット７１、７２の対物レンズ３１側を内側としたとき、外側がＮ極になっている。
【００２８】
図９は、レンズホルダ８０の斜視図である。
【００２９】
図９に示すように、レンズホルダ８０は、矢印Ｔｒ（図５（ａ）参照。）で示すトラッキング方向に長尺状に形成されている。レンズホルダ８０は、対物レンズ３１（図２参照。）に対して矢印Ｆｏ（図５（ｂ）参照。）で示すフォーカシング方向に設けられて立ち上げミラー３９（図２参照。）が挿入される立ち上げミラー用空間８０ａと、矢印Ｔｒで示すトラキング方向および矢印Ｆｏで示すフォーカシング方向の双方に直交する矢印１０ａ（図５参照。）で示す方向に立ち上げミラー用空間８０ａに連通してコリメートレンズ３８（図２参照。）を通った光の光路を確保するための光路用穴８０ｂとが形成されている。また、レンズホルダ８０は、立ち上げミラー用空間８０ａに対して光路用穴８０ｂとは反対側に壁部８０ｃを有している。壁部８０ｃは、矢印Ｔｒで示すトラッキング方向に延在するリブ８０ｄ、８０ｅ、８０ｆと、リブ８０ｄ、８０ｅ、８０ｆの両側に配置されてトラッキング駆動コイル９２（図５（ａ）参照。）が固定されるコイル固定溝８０ｇとを有している。リブ８０ｄは、リブ８０ｄ、８０ｅ、８０ｆのうち最も対物レンズ３１の近くに設けられており、しかもレンズホルダ８０において矢印Ｔｒで示すトラッキング方向の中央からずれた位置に設けられている。これは、リブ８０ｄがレンズホルダ８０全体の重量バランスを主目的として設けられているからである。このため、リブ８０ｄは、リブ８０ｄ、８０ｅ、８０ｆのうち最も長さが短い。リブ８０ｅおよびリブ８０ｆは、レンズホルダ８０が矢印Ｆｏで示すフォーカシング方向に撓む、すなわち対物レンズ３１を中心にしてレンズホルダ８０が長尺方向に上下に撓むことによって生じる、壁部８０ｃの矢印１０ａで示す方向の撓みを抑えることを主目的として設けられており、リブ８０ｄより長く互いに同じ長さである。
【００３０】
図４〜図６に示すように、トラッキング駆動コイル９１は、矢印Ｆｏで示すフォーカシング方向に延在する２辺のうち１辺が駆動マグネット７１と、ヨーク６０の挿入部６４との間に配置されている。ここで、駆動マグネット７１と、ヨーク６０の挿入部６４との間には、矢印Ｆｏで示すフォーカシング方向と、矢印Ｔｒで示すトラッキング方向との双方に直交する矢印１０ａで示す方向に磁界が発生している。したがって、トラッキング駆動コイル９１は、電流が流されることによって矢印Ｔｒで示すトラッキング方向の電磁力を受け、レンズホルダ８０に固定された対物レンズ３１を矢印Ｔｒで示すトラッキング方向に移動させる。トラッキング駆動コイル９１と、駆動マグネット７１およびヨーク６０の挿入部６４との位置関係について説明したが、トラッキング駆動コイル９２と、駆動マグネット７２およびヨーク６０の挿入部６４との位置関係についても同様である。なお、トラッキング駆動コイル９１、９２の配線は、トラッキング駆動コイル９１、９２に電流が流されたときにトラッキング駆動コイル９１、９２に発生する電磁力によって対物レンズ３１が矢印Ｔｒで示すトラッキング方向のみに移動するように適切に設定されている。
【００３１】
フォーカシング駆動コイル９３は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、フォーカシング駆動コイル９３は、電流が流されることによって矢印Ｆｏで示すフォーカシング方向の電磁力を受け、レンズホルダ８０に固定された対物レンズ３１を矢印Ｆｏで示すフォーカシング方向に移動させる。なお、２つのフォーカシング駆動コイル９３に矢印Ｆｏで示すフォーカシング方向であって互いに逆向きの電磁力が発生するようにフォーカシング駆動コイル９３に流される電流が制御されることによって、対物レンズ３１は、矢印Ｔｉで示すチルト方向に移動することができる。
【００３２】
ワイヤ１０１〜１０３は、所定のバネ定数を有するワイヤであって、矢印１０ａで示す方向にそれぞれ延在して、矢印Ｔｒで示すトラッキング方向におけるレンズホルダ８０の両側に矢印Ｆｏで示すフォーカシング方向に沿って配設されている。ワイヤ１０１〜１０３は、レンズホルダ８０側の端部でレンズホルダ８０上の基板８１を介してそれぞれトラッキング駆動コイル９１、９２およびフォーカシング駆動コイル９３の何れかに電気的に接続されており、基板１２０側の端部で基板１２０に電気的に接続されている。
【００３３】
ホルダ支持部材１１０は、中央に形成されてネジ１３０を通す図示していない中央穴と、中央穴の両側に形成されて位置決めのためにヨーク６０の穴６５ｂに挿入される突起１１１と、中央穴の両側に形成されて基板１２０の位置決めのために使用される突起１１２と、突起１１１に対して中央穴とは反対側に形成されレンズホルダ８０側に開口してワイヤ１０１〜１０３が挿入されたゲルポット１１３と、ゲルポット１１３に連通し基板１２０側に開口してそれぞれワイヤ１０１、１０２、１０３が挿入された穴１１４、１１５、１１６とを有している。
【００３４】
図１０は、図６（ｂ）のＣ−Ｃ矢視断面図である。
【００３５】
図１０に示すように、ホルダ支持部材１１０のゲルポット１１３には、ワイヤ１０１〜１０３が埋設されるゲル状緩衝材１１７が封入されている。ゲル状緩衝材１１７は、ワイヤ１０１〜１０３が埋設されることによって、ワイヤ１０１〜１０３に対して固定されたレンズホルダ８０に発生しがちな共振現象を抑制するものである。
【００３６】
図４〜図６に示すように、基板１２０は、中央に形成されてネジ１３０を通す図示していない中央穴と、中央穴の両側に形成されて位置決めのためにホルダ支持部材１１０の突起１１２が挿入される穴１２１と、穴１２１に対して中央穴とは反対側に形成されてそれぞれワイヤ１０１〜１０３が挿入される貫通穴１２２〜１２４とを有している。
【００３７】
以上に説明したように、光ヘッド装置１０は、矢印Ｔｒで示すトラッキング方向に延在するリブ８０ｄ、８０ｅ、８０ｆによってレンズホルダ８０が矢印Ｆｏで示すフォーカシング方向に撓むことが抑えられるので、レンズホルダ８０の高次共振を抑えて安定したサーボを行うことができる。
【００３８】
なお、本実施の形態において、リブ８０ｄと、リブ８０ｅ、８０ｆとは、長さが異なっているが、本発明によれば、リブ８０ｄ、８０ｅ、８０ｆは、長さの他、幅や高さが互いに異なっていても良い。
【００３９】
また、本実施の形態において、リブ８０ｄ、８０ｅ、８０ｆという３本のリブが設けられているが、３本以外の複数のリブが設けられていても良いし、１本のリブのみ設けられていても良い。
【図面の簡単な説明】
【００４０】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図であって、ゲル状緩衝材の図示を省略した図である。
【図５】（ａ）図１に示す対物レンズ駆動機構の平面図である。  （ｂ）図１に示す対物レンズ駆動機構の右側面図である。
【図６】（ａ）図１に示す対物レンズ駆動機構の正面図であって、ゲル状緩衝材の図示を省略した図である。  （ｂ）図１に示す対物レンズ駆動機構の背面図である。  （ｃ）図１に示す対物レンズ駆動機構の底面図である。
【図７】（ａ）図２に示すヨーク、ホルダ支持部材および基板の平面図である。  （ｂ）図２に示すヨーク、ホルダ支持部材および基板の右側面図である。
【図８】（ａ）図７（ａ）のＡ−Ａ矢視断面図である。  （ｂ）図７（ａ）のＢ−Ｂ矢視断面図であって、ゲル状緩衝材の図示を省略した図である。
【図９】図２に示すレンズホルダの斜視図である。
【図１０】図６（ｂ）のＣ−Ｃ矢視断面図である。
【符号の説明】
【００４１】
１０  光ヘッド装置
２１  レーザ光源装置（光源）
２２  レーザ光源装置（光源）
３１  対物レンズ
３８  コリメートレンズ
３９  立ち上げミラー
８０  レンズホルダ
８０ａ  立ち上げミラー用空間
８０ｂ  光路用穴
８０ｃ  壁部
８０ｄ、８０ｅ、８０ｆ  リブ
【図１】
2009099213.tif 000003
【図２】
2009099213.tif 000004
【図３】
2009099213.tif 000005
【図４】
2009099213.tif 000006
【図５】
2009099213.tif 000007
【図６】
2009099213.tif 000008
【図７】
2009099213.tif 000009
【図８】
2009099213.tif 000010
【図９】
2009099213.tif 000011
【図１０】
2009099213.tif 000012